(57)【要約】【課題】本発明は、ＩＥＥＥ８０２．１１に準拠する無線通信システムによる通信が可能な無線通信機器において、複数の周波数帯のうち好適な周波数帯を選択して使用することによって、通信速度若しくは通信品質を向上させた無線通信機器を提供することを目的とする。【解決手段】  本発明の携帯電話機１は、操作部５０と、ＩＥＥＥ８０２．１１に準拠した通信システムによる通信が可能な通信部２０と、操作部５０によって入力若しくは選択された所定のＳＳＩＤと一致するＳＳＩＤを有するアクセスポイントを検索し、当該検索によって発見された一のアクセスポイントの使用周波数帯が第１の周波数帯である場合、前記第１の周波数帯を使用して当該一のアクセスポイントに接続し、当該検索によって発見された一のアクセスポイントの使用周波数帯が前記第１の周波数帯と異なる周波数帯である場合、前記所定のＳＳＩＤと一致するＳＳＩＤを有する他のアクセスポイントを検索する制御部１０と、を備える。【選択図】図２
2015103868.tif 000002
【特許請求の範囲】
【請求項１】
操作部と、
ＩＥＥＥ８０２．１１に準拠した通信システムによる通信が可能な通信部と、
前記操作部によって入力若しくは選択された所定のＳＳＩＤと一致するＳＳＩＤを有するアクセスポイントを検索し、当該検索によって発見された一のアクセスポイントの使用周波数帯が第１の周波数帯である場合、前記第１の周波数帯を使用して当該一のアクセスポイントに接続し、当該検索によって発見された一のアクセスポイントの使用周波数帯が前記第１の周波数帯と異なる周波数帯である場合、前記所定のＳＳＩＤと一致するＳＳＩＤを有する他のアクセスポイントを検索する制御部と、を備える無線通信機器。
【請求項２】
前記制御部は、前記他のアクセスポイントを検索し、当該検索によって発見された他のアクセスポイントの使用周波数帯が前記第１の周波数帯である場合、前記第１の周波数帯を使用して当該他のアクセスポイントに接続する請求項１に記載の無線通信機器。
【請求項３】
前記制御部は、前記他のアクセスポイントの使用周波数帯が前記第１の周波数帯であって、なおかつ当該使用周波数帯が所定の条件を満たす場合、前記第１の周波数帯を使用して当該他のアクセスポイントに接続する請求項２に記載の無線通信機器。
【請求項４】
前記制御部は、前記所定のＳＳＩＤと一致するＳＳＩＤを有するアクセスポイントを初めて発見した場合、前記検索によって発見されたアクセスポイントの使用周波数帯が前記第１の周波数帯であるならば、当該使用周波数帯が所定の条件を満たすか否かを判定せずに、前記第１の周波数帯を使用して当該発見されたアクセスポイントに接続する請求項１から３のいずれか一項に記載の無線通信機器。
【請求項５】
前記制御部は、周辺にアクセスポイントが複数存在する場合、アクセスポイントから送信されるビーコンを受信した順に、当該ビーコンに含まれるＳＳＩＤが前記所定のＳＳＩＤと一致するかを判定する請求項１から４のいずれか一項に記載の無線通信機器。
【請求項６】
前記所定の条件は、前記他のアクセスポイントから送信されるビーコンの受信電界強度が第１の閾値より大きいことである請求項３に記載の無線通信機器。
【請求項７】
前記所定の条件は、前記他のアクセスポイントから送信されるビーコンの受信電界強度と前記一のアクセスポイントから送信されるビーコンの受信電界強度との差が第２の閾値より大きいことである請求項３又は６に記載の無線通信機器。
【請求項８】
前記制御部は、前記他のアクセスポイントの使用周波数帯が前記所定の条件を満たさない場合、前記第１周波数とは異なる周波数帯を使用して前記一のアクセスポイントに接続する請求項３、６又は７のいずれか一項に記載の無線通信機器。
【請求項９】
前記制御部は、前記第１の周波数帯を使用してアクセスポイントに接続する際、前記第１の周波数帯に設けられた、帯域幅がそれぞれ異なる複数の帯域のうち、帯域幅が広い一の帯域を優先して選択し、当該選択した帯域を用いてアクセスポイントに接続する請求項１から８のいずれか一項に記載の無線通信機器。
【請求項１０】
前記制御部は、前記第１の周波数帯によってアクセスポイントに接続する際、前記第１の周波数帯に設けられた複数のチャネルのうち、それぞれのチャネルの干渉率若しくは使用率に基づいて一のチャネルを優先して選択し、当該選択したチャネルを用いてアクセスポイントに接続する請求項１から８のいずれか一項に記載の無線通信機器。
【請求項１１】
ＩＥＥＥ８０２．１１に準拠した通信システムによって通信する通信方法であって、
無線通信装置によって入力若しくは選択された所定のＳＳＩＤと一致するＳＳＩＤを有するアクセスポイントを検索し、当該検索によって発見されたアクセスポイントの使用周波数帯が第１の周波数帯である場合、前記第１の周波数帯で当該アクセスポイントに接続し、当該検索によって発見されたアクセスポイントの使用周波数帯が前記第１の周波数帯でない場合、前記所定のＳＳＩＤと一致するＳＳＩＤを有する他のアクセスポイントを検索する、通信方法。
【発明の詳細な説明】
【技術分野】
【０００１】
本発明は、無線通信機器及び通信方法に関する。
【背景技術】
【０００２】
従来から、ＩＥＥＥ８０２．１１に準拠する無線通信システムとして無線ＬＡＮが知られており、無線ＬＡＮによる通信が可能な無線通信機器が存在する。また、無線ＬＡＮに使用される周波数帯として、２．４ＧＨｚ帯があり、当該周波数帯は、各無線通信機器が通信に使用するための複数のチャネル（帯域）に分割されている。各無線通信機器は、複数のチャネルのうち自機器に割り当てられた一のチャネルを使用してアクセスポイントと通信を行う。
【０００３】
各無線通信機器は、アクセスポイントとの通信を開始する際に、ＳＳＩＤを入力若しくは選択すると、当該入力若しくは選択したＳＳＩＤと同一のＳＳＩＤを有するアクセスポイントを周辺のアクセスポイントから検索し、同一のＳＳＩＤを有するアクセスポイントを発見した場合には、当該アクセスポイントに接続する。ここで、接続とは、例えば、互いの無線通信機器間においてトラフィックが発生していないが、トラフィックを流すための経路が確立された状態を指す。
【０００４】
また、特許文献１では、一の周波数帯における複数のチャネルは互いに隣接していることから、複数のチャネルのうちの一のチャネルが他のチャネルからの干渉を受ける可能性があるため、干渉チャネルからの影響の度合いを表す干渉影響度を算出し、干渉影響度が最小となるチャネルを選択してアクセスポイントとの通信を行うことが記載されている。
【先行技術文献】
【特許文献】
【０００５】
特開２００８−７８６９８号公報
【発明の概要】
【発明が解決しようとする課題】
【０００６】
しかし、従来技術では、一の周波数帯のみを使用することが前提となっており、複数の周波数帯（例えば、２．４ＧＨｚ帯と５ＧＨｚ帯）のうちのいずれかの周波数帯を好適に選択して通信を行うことが想定されていない。
【０００７】
従って、本発明は、ＩＥＥＥ８０２．１１に準拠する無線通信システムによる通信が可能な無線通信機器において、複数の周波数帯のうち好適な周波数帯を選択して使用することによって、通信速度若しくは通信品質を向上させた無線通信機器を提供することを目的とする。
【課題を解決するための手段】
【０００８】
本発明の無線通信機器は、操作部と、ＩＥＥＥ８０２．１１に準拠した通信システムによる通信が可能な通信部と、前記操作部によって入力若しくは選択された所定のＳＳＩＤと一致するＳＳＩＤを有するアクセスポイントを検索し、当該検索によって発見された一のアクセスポイントの使用周波数帯が第１の周波数帯である場合、前記第１の周波数帯を使用して当該一のアクセスポイントに接続し、当該検索によって発見された一のアクセスポイントの使用周波数帯が前記第１の周波数帯と異なる周波数帯である場合、前記所定のＳＳＩＤと一致するＳＳＩＤを有する他のアクセスポイントを検索する制御部と、を備える。
【０００９】
好適には、前記制御部は、前記他のアクセスポイントを検索し、当該検索によって発見された他のアクセスポイントの使用周波数帯が前記第１の周波数帯である場合、前記第１の周波数帯を使用して当該他のアクセスポイントに接続する。
【００１０】
好適には、前記制御部は、前記他のアクセスポイントの使用周波数帯が前記第１の周波数帯であって、なおかつ当該使用周波数帯が所定の条件を満たす場合、前記第１の周波数帯を使用して当該他のアクセスポイントに接続する。
【００１１】
好適には、前記制御部は、前記所定のＳＳＩＤと一致するＳＳＩＤを有するアクセスポイントを初めて発見した場合、前記検索によって発見されたアクセスポイントの使用周波数帯が前記第１の周波数帯であるならば、当該使用周波数帯が所定の条件を満たすか否かを判定せずに、前記第１の周波数帯を使用して当該発見されたアクセスポイントに接続する。
【００１２】
好適には、前記制御部は、周辺にアクセスポイントが複数存在する場合、アクセスポイントから送信されるビーコンを受信した順に、当該ビーコンに含まれるＳＳＩＤが前記所定のＳＳＩＤと一致するかを判定する。
【００１３】
好適には、前記所定の条件は、前記他のアクセスポイントから送信されるビーコンの受信電界強度が第１の閾値より大きいことである。
【００１４】
好適には、前記所定の条件は、前記他のアクセスポイントから送信されるビーコンの受信電界強度と前記一のアクセスポイントから送信されるビーコンの受信電界強度との差が第２の閾値より大きいことである。
【００１５】
好適には、前記制御部は、前記他のアクセスポイントの使用周波数帯が前記所定の条件を満たさない場合、前記第１周波数とは異なる周波数帯を使用して前記一のアクセスポイントに接続する。
【００１６】
好適には、前記制御部は、前記第１の周波数帯を使用してアクセスポイントに接続する際、前記第１の周波数帯に設けられた、帯域幅がそれぞれ異なる複数の帯域のうち、帯域幅が広い一の帯域を優先して選択し、当該選択した帯域を用いてアクセスポイントに接続する。
【００１７】
好適には、前記制御部は、前記第１の周波数帯によってアクセスポイントに接続する際、前記第１の周波数帯に設けられた複数のチャネルのうち、それぞれのチャネルの干渉率若しくは使用率に基づいて一のチャネルを優先して選択し、当該選択したチャネルを用いてアクセスポイントに接続する。
【００１８】
本発明の通信方法は、ＩＥＥＥ８０２．１１に準拠した通信システムによって通信する通信方法であって、無線通信装置によって入力若しくは選択された所定のＳＳＩＤと一致するＳＳＩＤを有するアクセスポイントを検索し、当該検索によって発見されたアクセスポイントの使用周波数帯が第１の周波数帯である場合、前記第１の周波数帯で当該アクセスポイントに接続し、当該検索によって発見されたアクセスポイントの使用周波数帯が前記第１の周波数帯でない場合、前記所定のＳＳＩＤと一致するＳＳＩＤを有する他のアクセスポイントを検索する。
【発明の効果】
【００１９】
本発明によると、ＩＥＥＥ８０２．１１に準拠する無線通信システムによる通信が可能な無線通信機器において、複数の周波数帯のうちいずれかの周波数帯を選択して使用することによって、通信速度若しくは通信品質を向上させた無線通信機器を提供することができる。
【図面の簡単な説明】
【００２０】
【図１】本発明の実施形態における携帯電話機１の機能を示すブロック図である。
【図２】図２は、本発明の実施形態における携帯電話機１がＩＥＥＥ８０２．１１に準拠する無線通信システムによりアクセスポイントと接続する際の処理を示すシーケンス図である。
【図３】本発明の実施形態における携帯電話機１とその周辺のアクセスポイント１００（１００ａ〜１００ｃ）とを示す図である。
【発明を実施するための形態】
【００２１】
図１は、本発明の実施形態における携帯電話機１の機能を示すブロック図である。
【００２２】
携帯電話機１は、少なくとも、制御部１０と、通信部２０と、記憶部３０と、表示部４０と、操作部５０と、音声制御部６０と、から構成される。なお、携帯電話機１は、それ以外の構成を備えていてもよく、例えば、カメラ、各種センサ、インターフェイス、マイク、スピーカ等を備えていてもよい。
【００２３】
制御部１０は、携帯電話機１の全体を制御しており、例えば、操作部５０等からの入力を受けて通信部２０等の各部に対して所定の処理を行う。そして、制御部１０は、処理実行の際には、記憶部３０を制御し、各種プログラム及びデータの読み出し、及びデータの書き込みを行う。
【００２４】
通信部２０は、所定の周波数帯（例えば、２．４ＧＨｚ帯あるいは５ＧＨｚ帯等）を用いて外部装置（アクセスポイント等）と通信を行う。そして、通信部２０は、アンテナより受信した信号を復調処理し、処理後の信号を制御部１０に供給し、また、制御部１０から供給された信号を変調処理し、アンテナから外部装置に送信する。
【００２５】
通信部２０は、ＩＥＥＥ８０２．１１に準拠した無線通信システムに対応している。また、通信部２０は、音声又はデータ通信用の通信システムであるＷ−ＣＤＭＡ、ＣＤＭＡ２０００１ｘ（以下、１ｘ）若しくはＧＳＭ(登録商標）、データ通信用の通信システムであるＣＤＭＡ２０００１ｘＥＶＤＯ（以下、ＥＶＤＯ）、主に高速データ通信に用いられる通信システムであるＬＴＥに対応していてもよい。
【００２６】
通信部２０は、アクセスポイント（以下、ＡＰと称する）から送信されたビーコン（Ｂｅａｃｏｎ）を受信する。ビーコンには、各ＡＰのパラメータ（ＳＳＩＤ、ＢＳＳＩＤ、使用周波数帯、帯域幅、当該ＡＰの使用状況等）が含まれる。ここで、ＢＳＳＩＤ（Ｂａｓｉｃ  Ｓｅｒｖｉｃｅ  Ｓｅｔ  Ｉｄｅｎｔｉｆｉｅｒ）とは、ＡＰのＭＡＣアドレスと同じものである。また、ＳＳＩＤは数字若しくは記号からなり、任意に設定可能であるため、各ＡＰのＳＳＩＤが全く同じ場合がある。
【００２７】
記憶部３０は、例えば、ワーキングメモリを含み、制御部１０による演算処理に利用される。また、本実施形態に係る各種プログラム等を記憶する。
【００２８】
表示部４０は、例えば、液晶ディスプレイ、有機ＥＬ（Ｅｌｅｃｔｒｏ  ｌｕｍｉｎｅｓｃｅｎｃｅ）ディスプレイ等である。表示部４０は、制御部１０からの指示に応じて表示を行う。
【００２９】
操作部５０は、例えば、ボタン、キーボード、タッチセンサ等で構成される。操作部５０によって操作されると、当該操作の結果が制御部１０に入力される。当該入力を受けた制御部１０は、当該入力に応じた制御を実行する。例えば、操作部５０によってデータ通信要求に応じた操作がされると、当該操作の結果としてデータ通信要求が制御部１０に入力され、当該入力を受けた制御部１０は、通信部２０を介して外部装置（例えば、基地局装置）に対するデータ通信要求の送信を実行する。
【００３０】
音声制御部６０は、制御部１０の制御に従って、通信部２０から供給された信号に対して所定の音声処理を行い、処理後の信号をレシーバ（図示せず）に出力する。レシーバは、音声制御部６０から供給された信号を外部に出力する。なお、この信号は、レシーバに代えて、又はレシーバと共に、スピーカ（図示せず）から出力されるとしてもよい。
【００３１】
また、音声制御部６０は、制御部１０の制御に従って、マイク（図示せず）から入力された信号を処理し、処理後の信号を通信部２０に出力する。通信部２０は、音声制御部６０から供給された信号に所定の処理を行い、処理後の信号をアンテナより出力する。
【００３２】
図２は、本発明の実施形態における携帯電話機１がＩＥＥＥ８０２．１１に準拠する無線通信システムによりアクセスポイントと接続する際の処理を示すシーケンス図である。
【００３３】
まず、制御部１０は、操作部５０によって、所定のＳＳＩＤの入力若しくは選択する操作が行われたことを検出する（ステップＳ１）。すると、制御部１０は、ＡＰをスキャン（サーチ）する（ステップＳ２）。ここで、制御部１０は、ＡＰをスキャンすることによって、通信部２０に、周辺のＡＰから送信される各ビーコンを受信させるよう制御する。
【００３４】
次に、制御部１０は、ステップＳ２において周辺のＡＰから送信された各ビーコンに含まれる全てのＳＳＩＤ（以下、受信ＳＳＩＤと称する）と、ステップＳ１において操作部５０によって入力若しくは選択がされたＳＳＩＤ（以下、入力ＳＳＩＤと称する）とが一致するか否かの判定が完了したか否かを判定する（ステップＳ３）。
【００３５】
制御部１０は、全ての受信ＳＳＩＤと入力ＳＳＩＤとが一致するか否かの判定が完了していないと判定すると（ステップＳ３  ＮＯ）、全ての受信ＳＳＩＤのうち、まだ入力ＳＳＩＤと一致するか否かの判定がされていない一の受信ＳＳＩＤを選択し、当該選択された一の受信ＳＳＩＤが、入力ＳＳＩＤと一致するか否かを判定する（ステップＳ４）。これによって、制御部１０は、入力ＳＳＩＤと一致するＳＳＩＤを有するアクセスポイントを検索する。ここで、選択した一の受信ＳＳＩＤが入力ＳＳＩＤと一致する否かの判定は、例えば、受信したビーコンから順に、当該ビーコンに含まれる受信ＳＳＩＤを入力ＳＳＩＤと対比することによって行う。なお、受信ＳＳＩＤの対比の順番は、ビーコンを受信した順番に限られない。一例として、各ビーコンのＲＳＳＩが大きい順に、当該各ビーコンに含まれている受信ＳＳＩＤを優先して判定してもよい。また、他の例として、ビーコンに含まれる使用周波数帯が５ＧＨｚ帯である受信ＳＳＩＤを優先して判定してもよい。
【００３６】
また、制御部１０は、全ての受信ＳＳＩＤと入力ＳＳＩＤとが一致するか否かの判定が完了したと判定すると（ステップＳ３  ＹＥＳ）、判定した全ての受信ＳＳＩＤのうち入力ＳＳＩＤと一致した受信ＳＳＩＤ（後述のステップＳ８において一定の条件を満たさないと判定した５ＧＨｚ帯に対応するＳＳＩＤは除く）がある場合には、当該受信ＳＳＩＤを有するＡＰに、当該ＡＰの使用周波数帯（当該受信ＳＳＩＤを有するビーコンに含まれる周波数帯）で通信部２０によって接続するよう制御する。一方で、制御部１０は、入力ＳＳＩＤと一致した受信ＳＳＩＤがない場合には、入力ＳＳＩＤと一致するＳＳＩＤを有するＡＰが無いとして圏外と判断し、その旨の表示を表示部４０に表示させる。ここで、制御部１０は、圏外と判断した場合には、圏外と判定されてから一定時間経過した後に、通信部２０によってＡＰのスキャンを行うよう制御してもよい。また、選択候補となるＳＳＩＤが複数ある場合には、次のＳＳＩＤを自動的に選択して図２の処理をステップ２から開始してもよい。
【００３７】
制御部１０は、ステップＳ４において選択された一の受信ＳＳＩＤが、入力ＳＳＩＤと一致すると判定した場合（ステップＳ４  ＹＥＳ）、当該一致するとの判定が初回か否かを判定する（ステップＳ５）。ここで、初回とは、ステップＳ１において、新たにＳＳＩＤが入力若しくは選択されてから受信ＳＳＩＤと入力ＳＳＩＤとが一致したとの判定が初回であることを指す。
【００３８】
一方で、制御部１０は、ステップＳ４において選択された一の受信ＳＳＩＤが、入力ＳＳＩＤと一致しないと判定した場合（ステップＳ４  ＮＯ）、ステップＳ３に戻る。
【００３９】
制御部１０は、ステップＳ５において、ステップＳ４において選択された一の受信ＳＳＩＤが入力ＳＳＩＤと一致したとの判定が初回であると判定すると（ステップＳ５  ＹＥＳ）、当該一の受信ＳＳＩＤを有するＡＰの使用周波数帯が５ＧＨｚ帯であるか否かを判定する（ステップＳ６）。ここで、受信ＳＳＩＤを有するＡＰの使用周波数帯とは、受信ＳＳＩＤが含まれていたビーコンにＡＰのパラメータとして含まれている周波数帯を指す。
【００４０】
また、制御部１０は、ステップＳ４において選択された一の受信ＳＳＩＤが入力ＳＳＩＤと一致したとの判定が初回でないと判定すると（ステップＳ５  ＮＯ）、ステップＳ６と同様に、一の受信ＳＳＩＤを有するＡＰの使用周波数帯が５ＧＨｚ帯であるか否かを判定する（ステップＳ７）。
【００４１】
制御部１０は、ステップＳ６において、一の受信ＳＳＩＤを有するＡＰの使用周波数帯が５ＧＨｚ帯であると判定すると（ステップＳ６  ＹＥＳ）、当該一の受信ＳＳＩＤを有するＡＰのＢＳＳＩＤ（当該受信ＳＳＩＤが含まれていたビーコンに含まれているＢＳＳＩＤ）を記憶部３０に記憶させ、当該一の受信ＳＳＩＤを有するＡＰと５ＧＨｚ帯で接続する。これによって、最初に判定した受信ＳＳＩＤを有するＡＰの使用周波数帯が５ＧＨｚ帯である場合に、即座に当該受信ＳＳＩＤを有するＡＰと５ＧＨｚ帯で接続することができるため、２．４ＧＨｚ帯に比べて干渉が少なく、通信品質の良い５ＧＨｚ帯でより迅速に通信を開始することができる。
【００４２】
一方で、制御部１０は、ステップＳ６において、一の受信ＳＳＩＤを有するＡＰの使用周波数帯が５ＧＨｚ帯でない（例えば、一の受信ＳＳＩＤを有するＡＰの使用周波数帯が２．４ＧＨｚ帯である）と判定すると（ステップＳ６  ＮＯ）、ステップＳ３に戻り、入力ＳＳＩＤと一致するか否かの判定がまだされていない他の受信ＳＳＩＤを選択し、当該他の受信ＳＳＩＤが入力ＳＳＩＤと一致するか否かの判定を行う。
【００４３】
制御部１０は、ステップＳ７において、一の受信ＳＳＩＤを有するＡＰの使用周波数帯が５ＧＨｚ帯であると判定すると（ステップＳ７  ＹＥＳ）、当該一の受信ＳＳＩＤを有するＡＰの使用周波数帯が一定の条件を満たすか否かを判定する（ステップＳ８）。ここで、当該受信ＳＳＩＤが含まれていたビーコンの受信電界強度（ＲＳＳＩ）が所定の閾値より高い場合、及び／又は当該受信ＳＳＩＤが含まれていたビーコンのＲＳＳＩと入力ＳＳＩＤと一致する受信ＳＳＩＤを有する他のＡＰが送信したビーコンのＲＳＳＩとの差が所定値以内である（所定値とは、例えば３０ｄＢｍ）場合には、当該一の受信ＳＳＩＤを有するＡＰの使用周波数帯が一定の条件を満たすと判定する。
【００４４】
一方で、制御部１０は、ステップＳ７において、一の受信ＳＳＩＤを有するＡＰの使用周波数帯が５ＧＨｚ帯でないと判定すると（ステップＳ７  ＮＯ）、ステップＳ３に戻る。
【００４５】
制御部１０は、ステップＳ８において、一の受信ＳＳＩＤを有するＡＰの使用周波数帯が一定の条件を満たすと判定すると（ステップＳ８  ＹＥＳ）、当該受信ＳＳＩＤを有するＡＰのＢＳＳＩＤ（当該受信ＳＳＩＤが含まれていたビーコンにＡＰのパラメータとして含まれているＢＳＳＩＤ）を記憶部３０に記憶させ、当該受信ＳＳＩＤを有するＡＰ（当該受信ＳＳＩＤが含まれていたビーコンを送信したＡＰ）と５ＧＨｚ帯で通信部２０によって接続するよう制御する。
【００４６】
これによって、携帯電話機１は、例えば、最初に入力ＳＳＩＤに一致すると判定した受信ＳＳＩＤを有する一のＡＰの使用周波数帯が２．４ＧＨｚ帯であり、次回以降、入力ＳＳＩＤに一致すると判定した受信ＳＳＩＤを有する他のＡＰの使用周波数帯が５ＧＨｚ帯である場合には、他のＡＰの使用周波数帯（５ＧＨｚ帯）が一定の条件を満たす場合に限って、他のＡＰと５ＧＨｚ帯で接続する。一方で、他のＡＰの使用周波数帯（５ＧＨｚ帯）が一定の条件を満たさない場合には、一のＡＰの使用周波数帯（２．４ＧＨｚ帯）一のＡＰと接続することによって、通信品質の良くない周波数帯（５ＧＨｚ帯）で接続することを低減し、通信品質の良い周波数帯（２．４ＧＨｚ）でＡＰとの接続を行うことができる。
【００４７】
また、５ＧＨｚ帯において、ＩＥＥＥ８０２．１１ｎでは、４０ＭＨｚ（ＨＴ４０）の帯域（チャネル）が設けられ、一方で、８０２．１１ａｃでは、８０ＭＨｚ（ＨＴ８０）、１６０ＭＨｚ（ＨＴ１６０）の帯域（チャネル）がそれぞれ設けられている。ここで、制御部１０は、５ＧＨｚ帯でＡＰと接続する場合には、帯域幅の広い帯域（チャネル）を優先的に使用する（１６０ＭＨｚ、８０ＭＨｚ、４０ＭＨｚの順番で優先的に使用する）ようにしてもよい。
【００４８】
また、制御部１０は、５ＧＨｚ帯において使用するチャネル（帯域）を選択する際に、チャネルの干渉率又は使用率の低いチャネルを優先して選択するようにしてもよい。チャネルの干渉率は、当該チャネル及び当該チャネルに隣接するチャネルを使用している無線通信機器の数に依存し、チャネルの使用率は、当該チャネルを使用している無線通信機器の数に依存する。
【００４９】
図３は、本発明の実施形態における携帯電話機１とその周辺のＡＰ１００（１００ａ〜１００ｃ）とを示す図である。
【００５０】
ここで、携帯電話機１の周辺には、ＡＰ１００ａ〜１００ｃがそれぞれ配置されている。
【００５１】
ＡＰ１００ａは、ＳＳＩＤがａｂｃ、使用周波数帯が２．４ＧＨｚ帯であり、ＡＰ１００ｂは、ＳＳＩＤがａｂｃ、使用周波数帯が５ＧＨｚ帯であり、ＡＰ１００ｃは、ＳＳＩＤがａｂｄであり、使用周波数帯が５ＧＨｚ帯である。
【００５２】
図３において、携帯電話機１が、ＡＰ１００ａと接続するまでの処理を図２のシーケンス図を用いて説明する。
【００５３】
まず、携帯電話機１は、操作部５０によって、所定のＳＳＩＤ（ａｂｃ）の入力若しくは選択する操作が行われる（ステップＳ１）と、ＡＰをスキャンする（ステップＳ２）。
【００５４】
次に、携帯電話機１は、まだ全ての受信ＳＳＩＤ（ＡＰ１００ａ〜１００ｃのＳＳＩＤ）と入力ＳＳＩＤ（ａｂｃ）とが一致するか否かの判定が完了していないため（ステップＳ３  ＮＯ）、全ての受信ＳＳＩＤのうち、まだ入力ＳＳＩＤと一致するか否かの判定がされていない一の受信ＳＳＩＤとして、ＡＰ１００ａ〜１００ｃの受信ＳＳＩＤのうち、ＡＰ１００ｂのＳＳＩＤ（ａｂｃ）を選択する。ここで、例えば、ＡＰ１００ｂのビーコンを最初に受信し、次に、ＡＰ１００ａのビーコンを受信し、最後にＡＰ１００ｃのビーコンを受信したとする。
【００５５】
携帯電話機１は、選択されたＡＰ１００ｂのＳＳＩＤ（ａｂｃ）が、入力ＳＳＩＤ（ａｂｃ）と一致すると判定し（ステップＳ４  ＹＥＳ）、当該一致するとの判定が初回と判定する（ステップＳ５  ＹＥＳ）。
【００５６】
携帯電話機１は、ＡＰ１００ｂの使用周波数帯が２．４ＧＨｚ帯であると判定し、５ＧＨｚ帯ではないと判定する（ステップＳ６  ＮＯ）。
【００５７】
そして、携帯電話機１は、入力ＳＳＩＤと一致するか否かの判定がされていないＡＰ１００ａのＳＳＩＤ及びＡＰ１００ｃのＳＳＩＤが残っているため（ステップＳ３  ＮＯ）、次に、ＡＰ１００ａのＳＳＩＤ（ａｂｃ）と入力ＳＳＩＤ（ａｂｃ）とが一致するか否かの判定を行う（ステップＳ４）。
【００５８】
ここで、携帯電話機１は、ＡＰ１００ａのＳＳＩＤ（ａｂｃ）と入力ＳＳＩＤ（ａｂｃ）とが一致すると判定し（ステップＳ４  ＹＥＳ）、既にＡＰ１００ｂのＳＳＩＤ（ａｂｃ）が入力ＳＳＩＤ（ａｂｃ）と一致すると判定しているため、当該一致判定は初回でないと判定し（ステップＳ５  ＮＯ）、ＡＰ１００ａの使用周波数帯が５ＧＨｚ帯であるか否かを判定する（ステップＳ５  ＹＥＳ）。
【００５９】
ここで、携帯電話機１は、ＡＰ１００ａの使用周波数帯が５ＧＨｚであると判定し（ステップＳ５  ＹＥＳ）、ＡＰ１００ａの使用周波数帯が一定の条件を満たすか否かを判定する（ステップＳ８）。
【００６０】
携帯電話機１は、ＡＰ１００ａの使用周波数帯が一定の条件を満たす場合として、ＡＰ１００ａから送信されるビーコンのＲＳＳＩが所定の閾値以上か、及び／又はＡＰ１００ａから送信されるビーコンのＲＳＳＩとＡＰ１００ｂから送信されるビーコンのＲＳＳＩとの差が所定の範囲内である場合がある。
【００６１】
携帯電話機１は、ＡＰ１００ａの使用周波数帯が一定の条件を満たす（ステップＳ８  ＹＥＳ）として、ＡＰ１００ａのＢＳＳＩＤを記憶部３０に記憶し、ＡＰ１００ａのＢＳＳＩＤを用いてＡＰ１００ａに接続する。
【００６２】
また、別の実施形態として、ＡＰ１００ａの使用周波数帯が２．４ＧＨｚ帯である場合（ステップＳ７ＮＯ）には、残りのＡＰ１００ｃのＳＳＩＤ（ａｂｄ）が入力ＳＳＩＤ（ａｂｃ）と一致しない（ステップＳ４  ＮＯ）せず、全ての受信ＳＳＩＤ（ＡＰ１００ａ〜１００ｃの受信ＳＳＩＤ）の判定が完了したため、入力ＳＳＩＤと一致するＳＳＩＤを有するＡＰ１００ａ若しくは１００ｂのうちで通信品質の良いＡＰと接続する。この場合、通信品質の良いＡＰのＢＳＳＩＤを接続するために、記憶部３０に記憶する。
【００６３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００６４】
また、本発明の装置は、実施形態における携帯電話機１に限定されず、携帯型パソコン、デジタルカメラ、メディアプレイヤ、電子書籍リーダ、ナビゲータ、ゲーム機等の携帯電子機器、通信機能に特化した通信専用モジュール、デスクトップパソコン、テレビ受像器等の据え置き型の電子機器であってもよい。
【符号の説明】
【００６５】
１  携帯電話機（無線通信機器）
１０  制御部
２０  通信部
３０  記憶部
４０  表示部
５０  操作部
６０  音声制御部
１００  アクセスポイント
【図１】
2015103868.tif 000003
【図２】
2015103868.tif 000004
【図３】
2015103868.tif 000005